(57)【要約】【課題】  傘の携帯性に優れ、傘に付着した水滴によるカバン、衣服等の濡れを抑制することができる傘ホルダを提供する。【解決手段】  傘ホルダ（１００）は、傘の長手方向の把持部側の一部を覆って保持する保持部（１０）と、保持部（１０）に固定され、傘の長手方向に伸縮自在であり、伸長した状態で傘の保持部（１０）よりも先端側の一部を覆う伸縮部（２０）と、使用者の携帯品に装着可能な装着部（１３）と、を備えることを特徴とする。傘の先端部を支持し、傘に付着した水滴を貯留する受皿部（３０）をさらに備えていてもよい。【選択図】  図１
2011019715.tif 000002
【特許請求の範囲】
【請求項１】
傘の長手方向の把持部側の一部を覆って保持する保持部と、
前記保持部に固定され、前記傘の長手方向に伸縮自在であり、伸長した状態で前記傘の前記保持部よりも先端側の一部を覆う伸縮部と、
使用者の携帯品に装着可能な装着部と、を備えることを特徴とする傘ホルダ。
【請求項２】
傘の先端部を支持し、傘に付着した水滴を貯留する受皿部をさらに備えることを特徴とする請求項１記載の傘ホルダ。
【請求項３】
前記受皿部に配置され、傘に付着した水滴を吸水する吸水部材をさらに備えることを特徴とする請求項２記載の傘ホルダ。
【請求項４】
前記吸水部材は、前記受皿部から取外し可能であることを特徴とする請求項３記載の傘ホルダ。
【請求項５】
前記受皿部は、前記伸縮部に着脱可能であることを特徴とする請求項２〜４のいずれかに記載の傘ホルダ。
【請求項６】
前記伸縮部は、蛇腹構造を有することを特徴とする請求項１〜５のいずれかに記載の傘ホルダ。
【請求項７】
前記伸縮部は、コイル状の形状記憶部材によって伸縮可能であることを特徴とする請求項１〜６のいずれかに記載の傘ホルダ。
【請求項８】
前記保持部の傘と接触する面は、撥水性を有することを特徴とする請求項１〜７のいずれかに記載の傘ホルダ。
【請求項９】
前記伸縮部の傘と接触する面は、撥水性を有することを特徴とする請求項１〜８のいずれかに記載の傘ホルダ。
【発明の詳細な説明】
【技術分野】
【０００１】
本発明は、傘ホルダに関する。
【背景技術】
【０００２】
人は、雨で濡れた傘を持ち歩く際、傘をカバン等に収納せずに手で持ち歩くことが多い。このような場合、傘に付着した水滴によって手、衣服等が濡れてしまうことがある。また、傘を持ち歩く人は、傘を持つことによる不自由さを感じる。そこで、このような不自由さを解消して傘の携帯性を向上させる技術として、携帯用傘ホルダが開示されている（例えば、特許文献１参照）。
【先行技術文献】
【特許文献】
【０００３】
【特許文献１】特開２００４−２０８７３５号公報
【発明の概要】
【発明が解決しようとする課題】
【０００４】
しかしながら、特許文献１の技術では、長傘の先端側を覆うことができない。したがって、傘に付着した水滴によってカバン、衣服等が濡れてしまうことがある。さらに、人込み等において、他人の持ち物、衣服等を濡らしてしまうことがある。
【０００５】
本発明は上記課題に鑑みなされたものであり、傘の携帯性に優れ、傘に付着した水滴によるカバン、衣服等の濡れを抑制することができる傘ホルダを提供することを目的とする。
【課題を解決するための手段】
【０００６】
本発明に係る傘ホルダは、傘の長手方向の把持部側の一部を覆って保持する保持部と、保持部に固定され傘の長手方向に伸縮自在であり伸長した状態で傘の保持部よりも先端側の一部を覆う伸縮部と、使用者の携帯品に装着可能な装着部と、を備えることを特徴とするものである。本発明に係る傘ホルダは装着部を介して使用者の携帯品に装着可能であることから、使用者は傘を持つ必要がなくなる。また、傘の使用時には伸縮部を収縮させることによって、本発明に係る傘ホルダをコンパクト化させることができる。それにより、本発明に係る傘ホルダの携帯性が向上する。また、保持部および伸縮部によって傘が覆われることから、傘に付着した水滴の露出が抑制される。それにより、傘に付着した水滴によるカバン、衣服等の濡れを抑制することができる。
【０００７】
上記傘ホルダは、傘の先端部を支持し傘に付着した水滴を貯留する受皿部をさらに備えていてもよい。この構成においては、傘に付着した水滴が受皿部において貯留される。それにより、傘から落下する水滴の衣服への付着が抑制される。
【０００８】
上記傘ホルダは、受皿部に配置され傘に付着した水滴を吸水する吸水部材をさらに備えていてもよい。この構成においては、水滴が吸水部材に保持される。それにより、受皿部に貯留された水滴の落下が抑制される。
【０００９】
吸水部材は、受皿部から取外し可能としてもよい。この場合、吸水部材を別の場所で乾燥させることができる。また、繰り返しの使用によって吸水部材が劣化した場合に、他の吸水部材を受皿部に配置することができる。
【００１０】
受皿部は、伸縮部に着脱可能としてもよい。この場合、例えば、人込みから離れた場合等に受皿部を取り外すことによって、使用者の歩行中等に傘に付着した水滴を落下させることができる。それにより、他人に迷惑をかけることなく、傘の乾燥を促進させることができる。
【００１１】
伸縮部は、蛇腹構造を有していてもよい。また、伸縮部は、コイル状の形状記憶部材によって伸縮可能としてもよい。
【００１２】
保持部の傘と接触する面は、撥水性を有していてもよい。伸縮部の傘と接触する面は、撥水性を有していてもよい。これらの場合、傘に付着した水滴を受皿部へと導きやすくなる。
【発明の効果】
【００１３】
本発明によれば、傘の携帯性に優れ、傘に付着した水滴によるカバン、衣服等の濡れを抑制することができる傘ホルダを提供することができる。
【図面の簡単な説明】
【００１４】
【図１】実施例１に係る傘ホルダの全体構成を説明するための模式的な斜視図である。
【図２】実施例１に係る傘ホルダの作用について説明するための図である。
【図３】実施例１に係る傘ホルダの詳細について説明するための図である。
【図４】実施例２に係る傘ホルダの正面側の斜視図である。
【図５】実施例３に係る傘ホルダの斜視図である。
【発明を実施するための形態】
【００１５】
以下、図面を参照しつつ、各実施例について説明する。
【実施例１】
【００１６】
図１（ａ）および図１（ｂ）は、実施例１に係る傘ホルダ１００の全体構成を説明するための模式的な斜視図である。図１（ａ）は傘ホルダ１００の正面側の斜視図であり、図１（ｂ）は傘ホルダ１００の背面側の斜視図である。
【００１７】
図１（ａ）に示すように、傘ホルダ１００は、保持部１０、伸縮部２０、および受皿部３０を含む。保持部１０、伸縮部２０、および受皿部３０は、傘の長手方向に順に配置されているとともに、互いに固定されている。傘が傘ホルダ１００に収容された状態で、保持部１０は傘の把持部側に位置し、受皿部３０は傘の先端部側に位置する。
【００１８】
保持部１０は、傘を保持するための部材である。保持部１０は、傘の長手方向に沿って延びかつ傘の把持部側の一部を収容可能な収容部１１を含む。収容部１１は、例えば、半円筒形状を有する。または、収容部１１は、表面を半円筒に切り取られた直方体等であってもよい。収容部１１の素材は、特に限定されないが、例えばＡＰＲ樹脂等のプラスチックとすることができる。収容部１１の正面側には、カバー１２が設けられている。カバー１２は、開閉可能である。カバー１２が開いた状態で傘を収容部１１に収容可能となり、カバー１２が閉じた状態で保持部１０に傘が保持される。
【００１９】
なお、傘の遊びを抑制するために、カバー１２の内側に低反発のスポンジ、繊維等が設けられていてもよい。さらに、収容部１１およびカバー１２の傘側の表面は、撥水性を有していてもよい。この場合、傘に付着した水滴を受皿部３０へと導きやすくなる。ここで、撥水性を有するとは、接触角が９０度以上であることを意味する。
【００２０】
また、図１（ｂ）に示すように、収容部１１の背面側には、フック１３が設けられている。フック１３は、使用者の携帯品に装着可能な形状を有している。この場合の携帯品として、例えば、手提げカバン、ショルダバッグ、リュックサック等が挙げられる。例えば、フック１３として、強化ＡＰＲ樹脂等のプラスチックを用いることができる。
【００２１】
伸縮部２０は、傘の長手方向に伸縮自在であり、伸長した状態で傘の保持部１０よりも先端側の部分を覆う構成を有する。例えば、伸縮部２０は、蛇腹構造を有する。伸縮部２０は、コイル状の形状記憶部材によって伸縮可能であってもよい。伸縮部２０は、例えば、防水布によって覆われていてもよい。また、伸縮部２０の内側の表面は、撥水性を有していてもよい。この場合、傘に付着した水滴を受皿部３０へと導きやすくなる。
【００２２】
受皿部３０は、傘に付着した雨水を一時的に貯留することができるような構成を有する。例えば、受皿部３０は、有底円筒の容器３１の内側に吸水部材３２が配置された構成を有する。吸水部材３２は、吸水性を有する素材からなり、例えばスポンジ等からなる。また、容器３１は、ＡＰＲ樹脂等のプラスチックからなる。
【００２３】
図２（ａ）および図２（ｂ）は、傘ホルダ１００の作用について説明するための図である。まず、図２（ａ）に示すように、カバー１２を開く。この状態で、収容部１１に傘を収容する。受皿部３０に対して傘の先端を押すことによって、伸縮部２０が伸長する。
【００２４】
次に、図２（ｂ）に示すように、カバー１２を閉じることによって、保持部１０に傘が保持される。さらに、フック１３をカバン等の携帯品に装着することによって、傘ホルダ１００が携帯品に固定される。
【００２５】
本実施例によれば、傘が傘ホルダ１００によって保持される。フック１３を用いて傘ホルダ１００を携帯品に取り付けることによって、使用者は、傘を持つ必要がなくなる。特に、ショルダバッグ、リュックサック等に傘ホルダ１００を装着することによって、使用者は両手の使用が可能となる。
【００２６】
また、傘に付着した水滴が受皿部３０において貯留される。それにより、傘から落下する水滴の衣服への付着が抑制される。特に、吸水部材３２を設けることによって水滴が吸水部材３２に保持される。それにより、受皿部３０に貯留された水滴の落下が抑制される。
【００２７】
また、伸縮部２０によって傘が覆われることから、傘に付着した水滴の露出が抑制される。この場合、使用者以外の人に傘の水滴が付着することが抑制される。例えば、混雑した乗物において特に有効である。
【００２８】
なお、図３（ａ）に示すように、フック１３を携帯品以外の物に装着することができる。例えば、出勤した会社のデスクにフック１３を係合させるための係合部材が設けてあれば、傘ホルダ１００をデスクの側面に装着しておくことができる。この場合、会社内に傘置き場が不要になる。
【００２９】
また、図３（ｂ）に示すように、吸水部材３２は、容器３１から取外し可能であってもよい。この場合、吸水部材３２を別の場所で乾燥させることができる。また、繰り返しの使用によって吸水部材３２が劣化した場合に、他の吸水部材３２を容器３１に配置することができる。
【００３０】
また、図３（ｃ）に示すように、容器３１は、伸縮部２０から取外し可能であってもよい。例えば、人込みから離れた場合等に容器３１を取り外すことによって、使用者の歩行中等に傘に付着した水滴を落下させることができる。この場合、他人に迷惑をかけることなく、傘の乾燥を促進させることができる。
【００３１】
さらに、図３（ｄ）に示すように、傘の使用時には、伸縮部２０を収縮させることによって、傘ホルダ１００をコンパクト化させることができる。それにより、傘ホルダ１００の携帯性が向上する。
【００３２】
なお、本実施例においては長傘が傘ホルダ１００に収納されているが、それに限られない。折畳み傘であっても、傘ホルダ１００に収納可能である。
【実施例２】
【００３３】
図４は、実施例２に係る傘ホルダ１００ａの正面側の斜視図である。図４に示すように、傘ホルダ１００ａは、保持部１０の代わりに保持部１０ａを備えている。保持部１０ａは、円筒形状を有する。この場合、カバー等を開閉させることはできないが、傘を保持部１０ａに装入することによって、傘が保持部１０ａに保持される。
【実施例３】
【００３４】
図５は、実施例３に係る傘ホルダ１００ｂの斜視図である。図５に示すように、フックの代わりにマジックテープ（登録商標）等の面ファスナ１３ｂを用いてもよい。この場合においても、傘ホルダ１００ｂをカバンに固定することができる。
【００３５】
なお、上記各実施例において装着部の一例としてフック１３および面ファスナ１３ｂを用いたが、それに限られない。使用者の携帯品に装着可能な装着部として機能するものであれば、どのようなものを用いてもよい。例えば、装着部としてマグネット等を用いてもよい。
【００３６】
以上、本発明の実施形態および実施例について詳述したが、本発明は係る特定の実施形態または実施例に限定されるものではなく、特許請求の範囲に記載された本発明の要旨の範囲内において、種々の変形・変更が可能である。
【符号の説明】
【００３７】
１０  保持部
１１  収容部
１２  カバー
１３  フック
２０  伸縮部
３０  受皿部
３１  容器
３２  吸水部材
【図１】
2011019715.tif 000003
【図２】
2011019715.tif 000004
【図３】
2011019715.tif 000005
【図４】
2011019715.tif 000006
【図５】
2011019715.tif 000007